(57)【要約】【課題】マイクロ波加熱手段と、電熱加熱手段とを備えてなる電子レンジにおいて、調理に必要な電熱加熱手段を、商用電源と二次電池との選択可能とすることで自由に組み合わせることを図ることにある。【解決手段】被加熱物を収容する加熱室４と、マイクロ波加熱手段１１と、定格電力が異なり、異なる場所に位置して加熱室内を加熱する複数の電熱加熱手段１７、１８、２３ａ、２３ｂを有し、各々の電熱加熱手段は、接続スイッチ５１〜５４により、商用電源３５と、前記二次電池３４とに選択可能に接続されいずれか一方から電源が供給される【選択図】図１
2008256251.tif 000002
【特許請求の範囲】
【請求項１】
被加熱物を収容する加熱室と、
異なる場所に位置して加熱室内を加熱する複数の電熱加熱手段を有し、
各々の前記電熱加熱手段は、
前記商用電源と、前記二次電池とに選択可能に接続され、
前記商用電源と、前記二次電池とのいずれか一方から電源が供給されることを特徴とする
加熱調理器。
【請求項２】
複数の電熱加熱手段は、加熱室内に熱風を循環させるため加熱を行なう熱風循環用ヒー
タであり、
前記加熱室の側壁に沿って、内側と外側に位置していることを特徴とする請求項１記載の
加熱調理器。
【請求項３】
複数の電熱加熱手段は、加熱室の上方から加熱する上部加熱手段と、下方から加熱する
下部加熱手段であることを特徴とする請求項１記載の加熱調理器。
【請求項４】
複数の調理機能を有し、
前記調理機能に応じて、商用電源と二次電池とに選択される電熱加熱手段が決定されてい
ることを特徴とする請求項１記載の加熱調理器。
【請求項５】
定格電力が異なる複数の電熱加熱手段を有し、
調理機能は、この定格電力が異なる電熱加熱手段のうち高い定格電力の電熱加熱手段を
二次電池に接続し、低い定格電力の電熱加熱手段を商用電源に接続して加熱する調理方法
であることを特徴とする請求項４記載の加熱調理器。
【請求項６】
二次電池の充電量を検知する充電検知手段と、
商用電源から前記二次電池への充電を制御するとともに、調理機能に応じた調理方法を
記憶する制御手段を有し、
前記充電検知手段により検知された前記二次電池の充電量が、この調理方法を実行する
ために必要な充電量に満たしてない場合、
前記制御手段は、前記二次電池への充電を開始することを特徴とする請求項４または請
求項５いずれかに記載の加熱調理器。
【請求項７】
二次電池の充電量を検知する充電検知手段と、
商用電源から前記二次電池への充電を制御する制御手段とを有し、
この充電検知手段は、電熱加熱手段の停止時に充電量を検知し、
その後、前記制御手段は、前記二次電池が所定量より低いと検知した場合は、
前記制御手段は、
前記商用電源から前記二次電池を所定量を超えるまで充電することを特徴とする請求項
１乃至請求項５いずれかに記載の加熱調理器。
【請求項８】
表示手段を有し、
この表示手段は、
複数の調理機能のうち何れかが選択されたときに、
充電検知手段が、前記選択された調理機能に必要な充電量に足りないことを検知した場合
に、
充電量が不足していることを報知することを特徴とする請求項４乃至請求項６いずれかに
記載の加熱調理器。
【請求項９】
表示手段を有し、
この表示手段は、二次電池の充電量を表示することを特徴とする請求項６乃至請求項８
いずれかに記載の加熱調理器。
【請求項１０】
表示手段を有し、
この表示手段は、二次電池への充電をしている時は、充電している旨の表示をすることを
特徴とする請求項９記載の加熱調理器。
【発明の詳細な説明】
【技術分野】
【０００１】
本発明は、電熱加熱手段を備えてなる加熱調理器に関する。
【背景技術】
【０００２】
従来、電子オーブンレンジのような加熱調理器は、マグネトロンやヒータといった複数
の加熱手段を備えており、マグネトロンによって食品の内部を加熱しつつ、ヒータにより
食品表面の水分を蒸発させ、サクッとした食感が得られるように調理を行なっている。こ
の場合、商用交流電源の電圧が１００Ｖであれば、消費電流が一般家庭の標準コンセント
容量である１５Ａ以下となるよう、即ち、消費電力が１５００Ｗ以下となるように、複数
の加熱手段の出力を制御したり、動作させる時間を区切って加熱を行なうようにしていた
。このため、加熱調理に要する時間が長引かざるを得ないという欠点があった。
【０００３】
以上のような問題を解決する技術として、特許文献１には、外部電源の電力を電力変換
器またはヒータ部のいずれか一方に供給し、蓄電池の電力を他方に供給する構成とした電
子レンジが開示されている（特許文献１参照）。
【特許文献１】特開平６−２０７７３号公報
【発明の開示】
【発明が解決しようとする課題】
【０００４】
しかしながら、特許文献１に開示されている技術は、電子レンジに蓄電池を採用して高
周波加熱とヒータ加熱とを同時に行うものであるが、両者による加熱を同時に行う際の制
御を具体的にどのように行うかについては全く開示がない。特に、ヒータ加熱への二次電
池からの電源供給方法について、どのように構成されているか記載されていない。
【０００５】
本発明は上記事情に鑑みてなされたものであり、その目的は、電熱加熱手段を備えてな
る加熱調理器において、調理に必要な電熱加熱手段を、商用電源と二次電池との選択によ
り自由に組み合わせることを図ることにある。
【課題を解決するための手段】
【０００６】
上記目的を達成するため、本発明の加熱調理器は、被加熱物を収容する加熱室と、異な
る場所に位置して加熱室内を加熱する複数の電熱加熱手段を有し、各々の前記電熱加熱手
段は、前記商用電源と、前記二次電池とに選択可能に接続され、前記商用電源と、前記二
次電池とのいずれか一方から電源が供給されることを主たる特徴とする。
【発明の効果】
【０００７】
本発明の加熱調理器によれば、電熱加熱手段は、商用電源または二次電池とによる電力
供給を、選択可能にすることができるので、異なる場所に位置した電熱加熱手段を自由に
組み合わせて使用することができ、調理物に適した加熱調理をすることができる。
【発明を実施するための最良の形態】
【０００８】
（第１実施例）
以下、本発明の第１実施例について図１乃至図１１を参照して説明する。図１は、電子
レンジの制御系の構成を概略的に示すブロック図、図２ないし図４はオーブン機能付き電
子レンジの構成を示すもので、縦断側面図並びに扉を開放，閉鎖した状態の正面図である
。図５は二次電池の充電特性を示す図、図６は、二次電池の放電レートを示す図である。
また図７は二次電池の充電状態を示す表示部の図である。図８は接続スイッチの詳細図。
図９はインバータ５０の詳細図。図１０はインバータ５０の電流動作図。図１１は庫内温
度のタイミングチャートである。
【０００９】
電子レンジ１の本体は、前面を開放した矩形状の外箱２内に、矩形状の内箱（筺体）３
を固定して構成されてものであって、同じように前面を開放した内箱３の内部が、加熱室
４とされている。  
そしてこの加熱室４の前面開口部は、上下に回動する扉５によって開閉されるようにな
っている。
【００１０】
また扉５の前面部には、上部に手掛け部６が設けられ、下部に複数の操作部７および表
示部８（表示手段に相当）を有する操作パネル９が設けられている。操作部７は、加熱調
理の調理モード（調理機能に相当）や調理時間，調理に関する庫内温度（設定温度）など
を設定するためのものであり、また、表示部８は、選択された調理モードや調理時間など
を表示するためのものである。ここでの調理モードでは、レンジ、オーブン、熱風循環等
の調理方法を選択できるように構成されている。さらに「グラタンメニュー」や、「牛乳
メニュー」などの調理モードも選択可能となっており、各食品に適した調理方法が予め制
御部３７に記憶されているものである。
【００１１】
また電子レンジ１本体内の背部には、外箱２と内箱３との間に位置する機械室１０が形
成されており、この機械室１０の下部には、マグネトロン１１（マイクロ波加熱手段）の
他、図示はしないがマグネトロン１１の電源装置、マグネトロン１１や電源装置を冷却す
る冷却ファン装置などが配設されている。マグネトロン１１は高周波を発生するもので、
その発生した高周波は、内箱３の下面に配設された導波管１２を通して内箱３の底部に形
成された励振口１３から加熱室４内に供給されるようになっている。
【００１２】
内箱３の底部内側には段部１４が形成され、この段部１４にガラス板或はセラミックス
板から形成された底板１５が載置されている。この底板１５は、実質的に加熱室４の底面
を構成するもので、この底板１５の下方の空間には、励振口１３から供給された高周波を
反射撹拌するための回転アンテナ１６が配設されている。また、底板１５の下方の空間に
は、回転アンテナ１６を取り巻くようにしてシースヒータなどからなる下ヒータ１７（電
熱加熱手段のうち下部加熱手段に相当）が配設されていると共に、内箱３の上部には、面
状ヒータなどからなる上ヒータ１８（電熱加熱手段のうち上部加熱手段に相当）が配設さ
れている。これら上下両ヒータ１７および１８は、調理機能の一つであるオーブン調理の
ヒータとして機能する。  
またこの下ヒータ１７と上ヒータ１８とは、各々定格出力が異なって構成されており、
下ヒータ１７は１３００Ｗ、上ヒータ１８は２０００Ｗとしている。
【００１３】
一方、内箱３の背面には、熱風発生装置１９のケーシング２０が固定されており、この
ケーシング２０内には、ファンモータ２１によって駆動される遠心型のファン２２および
熱風用ヒータ２３（電熱加熱手段）が配設されている。  
この熱風用ヒータ２３は、二つのヒータがファン２２の周りに囲繞して設けられる構成
で、内周側と外周側と異なる場所に位置する内周ヒータ２３ａ（電熱加熱手段）と外周ヒ
ータ２３ｂ（電熱加熱手段）とにより構成される。またこの二つの熱風用ヒータは各々定
格出力が異なり、内周ヒータ２３ａが１３００Ｗ、外周ヒータ２３ｂが２０００Ｗで構成
されている。これら内周ヒータ２３ａ、外周ヒータ２３ｂは、調理機能の一つである熱風
循環調理のヒータとして機能する。  
そして、加熱室４の後面である内箱３の後面壁には、ファン２２の中心側に対応位置し
て多数の小孔からなる吸気口２４が形成されていると共に、吸気口２４の上下両側部分に
位置して同じく多数の小孔からなる吐気口２５が形成されている。
【００１４】
上記の熱風発生装置１９において、ファン２２が回転すると、加熱室４内の空気が吸気
口２４からケーシング２０内に吸引され、そして熱風用ヒータ２３により加熱されて上下
の吐気口２５から加熱室４内に吐出される。このような熱風の循環によって加熱室４内が
加熱されてオーブン調理が行われるようになっている。オーブン調理では、加熱室４内に
オーブン調理皿（図示せず）を上下２段に配置することができるようになっているが、上
記のように上下の吐気口２５から同等量の熱風が供給されることによって、上下に配置さ
れたオーブン調理皿上の食品が共に良好に調理することができる。
【００１５】
さて、前記内箱３は鉄板などの金属板製のもので、前面部の矩形状のフランジ板２６、
上面板２７（側壁に相当）、後面板２８（側壁に相当）、左側板２９（側壁に相当）、右
側板３０（側壁に相当）および底面板３１（側壁に相当）からなる。そのうち、上面板２
７および後面板２８は、一枚の板材をほぼＬ字形に折曲して形成されている。  
そして、これらの板２６〜３１は互いに溶接などによって接合され、前面部のフランジ
板２６が外箱２に溶接などによって接合されている。
【００１６】
この内箱３の上部の稜角部のうち上部後側の稜角部、換言すれば、一枚の板から形成さ
れた上面板２７および後面板２８の境界部は、後側に向って下降する傾斜面３２に形成さ
れている。そして、その傾斜面３２の横（左右）方向中央部には、図示しない赤外線検知
用の窓が開口形成されており、その窓に望むようにして赤外線センサ（温度検知手段）３
３が配置されている。
【００１７】
また、図２に示すように、機械室１０には、リチウムイオン電池からなる二次電池３４
と、その二次電池３４に対して１００Ｖの商用（交流）電源３５（図１参照）より充電を
行うための充電回路３６とが配置されている。この商用電源３５と充電回路３６との間に
は、充電リレー５５が介されており、制御部３７の指令で充電リレー５５がオンオフされ
ることにより、充電回路３６へ電源の供給のオンオフが制御されるように構成されている
（図１参照）。
【００１８】
また上記リチウムイオン電池は、ニッカド電池のようなメモリー効果が発生することが
ないので、放電途中から充電を行っても満充電状態にすることができると共に、電池の劣
化にも繋がらない。
【００１９】
二次電池３４は、端子電圧が例えば３３Ｖ程度に設定されており、図５に示すように１
２分程度で満充電することが可能であり、また、図６に示すように、５Ｃ以上で放電させ
た場合でも放電容量が大きく低下しないように構成されている（例えば、特開２００４−
２９６２５５号公報参照）。尚、放電容量１６００ｍＡｈを２０Ｃで放電させると、３分
間，３２Ａ×３３Ｖ＝１０５６Ｗの電力供給ができる。
【００２０】
図１は、電子レンジ１における制御系の構成を概略的に示す機能ブロック図である。制
御部３７は、マイクロコンピュータで構成されており、赤外線センサ３３や、庫内温度セ
ンサ（温度検知手段）３８（図３参照）によって出力されるセンサ信号が入力され、扉５
の開閉を検知する扉開閉検知手段９０からの信号が入力されるように構成されている。そ
して、制御部３７は、操作部７で主電源をＯＮすることにより、主電源スイッチ５６がＯ
Ｎされて、制御部３７に電源が供給されるように構成されており、この制御部３７は、表
示部８の表示を制御したり、マグネトロン１１や各ヒータ１７，１８，２３ａ、２３ｂの
駆動を制御するようになっている。
【００２１】
充電量検知回路３９は、充電回路３６を介して行われる二次電池３４の充電状態を、例
えば二次電池３４の端子電圧などから検知して、その検知結果を制御部３７に出力するよ
うになっている。そして、制御部３７は、二次電池３４の充電状態を、例えば、図７（ａ
）に示すようにして表示部８に表示させる。また、図７（ｂ）は、二次電池３４の残存容
量が次第に減少する場合における表示状態の変化を示す。
【００２２】
尚、上記した電熱加熱手段である上下ヒータ１７，１８、熱風用ヒータ２３ａ、２３ｂ
は、切替手段である接続スイッチ５１〜５４に接続される構成であって、図８に示すよう
に接点Ｄに接続される端子が、接点Ｂ、Ｃ、Ｄに切替られることによって、商用電源３５
（接点Ｂに接続した場合）、二次電池３４（接点Ｄに接続した場合）の異なる電源を選択
することが可能に構成されており、各々のヒータが電源の供給先を選択できる。すなわち
、各々のヒータは、異なる電源のうち一方から電源が供給されるように構成されている。
例えば、上ヒータ１８が、商用電源３５に接続されている時は、上ヒータ１８は、二次
電池３４には接続が不可能になるように接続スイッチは構成されている。
【００２３】
このように接続を選択する制御は、制御部３７が制御することで行われており、商用電
源３５と二次電池３４と同時に使用する際は、その商用電源３５と二次電池３４は、異な
るヒータに接続されるようになり、例えば、上下のヒータを同時に使用する場合で、電源
供給を商用電源３５と二次電池３４とにより行いたい場合は、上ヒータ１８が商用電源３
５に接続される場合は、下ヒータ１７は、二次電池３４に接続されるように接続スイッチ
が選択される。
【００２４】
さらに、マグネトロン１１には、インバータ５０が接続されていてこのインバータ５０
は、上記接続スイッチ５１〜５４とは異なり、図９に示すように構成されている。  
このインバータ５０は、整流ユニット６０と、半導体スイッチ６１、インバータスイッ
チ６２、高周波トランス６３などから構成されており、整流ユニット６０に商用電源３５
が接続されており、インバータスイッチ６２に二次電池３４が接続されている。
【００２５】
このように構成されたインバータ５０は、商用電源３５と二次電池３４とを同時に使用
する場合に、図１０に示すような動作を示す。  
まず、商用電源３５から供給された電力は、整流ユニット６０により整流化され、半導
体スイッチ６１により制御される。この時商用電源から供給された交流は、図１０（ａ）
に示すような脈流となる。  
続いて、充電された二次電池３４から供給された電力は、直流化されてインバータスイ
ッチ６２を介して商用電源３５からの接続点Ａに供給される（図１０（ｂ）参照）。  
そして接続点Ａでは、図１０（ａ）の脈流に図１０（ｂ）の電力が合計されて、出力が
大きくなった電力が高周波トランス６３へ供給される。そして高周波トランス６３を介し
て整流された電力がマグネトロン１１に供給されるようになる。  
したがってこのインバータ５０は、接続スイッチ５１〜５４のようないずれかの電源を
選択する構成とは異なり、商用電源３５と二次電池３４との合計の電力をマグネトロン１
１に供給することができる。
【００２６】
次に、本実施例の作用について図１１を参照して説明する。図１１（ａ）は、電子レン
ジ１の加熱室４を庫内温度が室温と略同じであり、且つ、加熱室４に食品等が収容されて
熱容量が大きくなっている状態から加熱調理を開始した時のヒータ加熱（熱風循環モータ
調理モード）により調理を行なう場合の庫内温度変化を示すタイミングチャートである。
【００２７】
ユーザが料理を開始させると、制御部３７は、図１１（ａ）に示すように、加熱調理の
開始から、熱風用ヒータ２３のうち、加熱室４の後壁において内周側と外周側と異なる場
所に位置する内周ヒータ２３ａと外周ヒータ２３ｂとを同時に通電して動作させる。  
この際、内周ヒータ２３ａ（定格出力１３００Ｗ）は、接続スイッチ５４は、接点ａか
ら接点ｂに切り替えられ、商用電源３５に接続されて電源を供給されるように構成されて
いる。一方、外周ヒータ２３ｂ（定格出力２０００Ｗ）は、接続スイッチ５３は、接点ａ
から接点ｃに切り替えられ、二次電池３４に接続されて電源が供給される。  
すると、庫内温度は急上昇して３分程度で設定温度（例えば、２５０度）に達する。  
そして、庫内温度が設定温度に達すると、熱風用ヒータ２３に対する通電を停止し、以
降は従来と同様に上下ヒータ１７，１８に対して間歇的に通電を行い、庫内温度を一定に
維持することで加熱調理を行なう。
【００２８】
また図１１（ｂ）に示す従来構成の場合は、消費電力の制約から内周ヒータ２３ａのみ
しか動作させることができなかったため庫内温度の立上がりが遅く、設定温度に達するま
で長い時間を要していた。その結果、食品等の加熱時間が長くなり、食品の表面部分が乾
燥するなどして調理の仕上がりが悪くなっていた。  
これに対して、本実施例の図１１（ａ）では、調理を開始直後、二次電池３４より電源
の供給を受ける外周ヒータ２３ｂを加熱調理の開始から内周ヒータ２３ａと同時に動作さ
せるので、調理時間が短縮すると共に食品の表面部分が乾燥することを防止し、調理の仕
上がり状態を良好にすることができる。
【００２９】
また図１１（ａ）の場合、電子レンジ１の定格消費電力が例えば１５００Ｗであったし
ても、二次電池３４を併用することで、それ以上の出力で加熱を行なうことが可能となっ
ている。  
さらに加熱室４の後壁の内周側と外周側と異なる場所に位置するヒータ（電熱加熱手段
）を二次電池３４を併用して同時に加熱することにより、後壁から加熱室全体を満遍なく
加熱することができるので、すばやくむらなく加熱室４内の温度を上昇させることができ
る。  
そして内周に定格出力１３００Ｗの内周ヒータ２３ａ、外周に定格出力２０００Ｗの外
周ヒータ２３ｂを設け、外周ヒータ２３ｂの定格出力を内周側のヒータより大きくしたの
で急な加熱が必要な場合には、外周ヒータ２３ｂを二次電池３４に接続することにより、
外側、即ち面積が大きい部分から加熱室４内を加熱することができる。
【００３０】
このように、内周ヒータ２３ａと外周ヒータ２３ｂは、接続スイッチ５３、５４により
、各々、商用電源３５と二次電池３４とに選択可能に接続されて、商用電源３５と二次電
池３４のいずれか一方から電源が供給されるように構成されているので、必要に応じて接
続スイッチを切り替えて二次電池３４から電源を供給することができ、加熱出力を上げる
ことができる。  
また、電子レンジ１の制御部３７は、二次電池３４の充電状態を表示部８に表示するの
で、ユーザは、上記表示を参照することで、二次電池３４を併用する加熱が実行可能か否
かを判断することができる。
【００３１】
なお、この図１１（ａ）においては、内周ヒータ２３ａに代えて定格出力１３００Ｗの
下ヒータ１７、外周ヒータ２３ｂに代えて定格出力２０００Ｗの上ヒータ１８により、商
用電源と二次電池３４を併用させて、加熱室４を加熱させても良い。  
この場合、下ヒータ１７は、接続スイッチ５２により商用電源３５に接続され、上ヒー
タ１８は、接続スイッチ５１により、二次電池３４に接続される。
【００３２】
この構成によれば、加熱室４の上側と下側と異なる場所に位置するヒータ（電熱加熱手
段）を二次電池３４を併用することで同時に加熱できる。したがって、加熱室全体を満遍
なく加熱することができるので、すばやくむらなく加熱室４内の温度を上昇させることが
できる。
【００３３】
そして下側に定格出力１３００Ｗの下ヒータ１７、上側に定格出力２０００Ｗの上ヒー
タ１８を設け、上側のヒータの定格出力を高くした。  
したがって、必要に応じて定格出力の高い上ヒータ１８に接続することにより、適宜、
加熱室４内の温度を急上昇させることができる。
【００３４】
（第２実施例）
図１２は本発明の第２実施例を示すものであり、前記実施例と異なる部分のみ説明する
。第２実施例では、操作部７により、加熱調理の調理モード（調理機能に相当）が「グラ
タンメニュー」に設定されている場合を示す。  
前記実施例と同様に内周ヒータ２３ａと外周ヒータ２３ｂとを同時に通電して加熱調理
を開始し、庫内温度が調理設定温度に達すると、商用電源３５に接続された内周ヒータ２
３ａだけを断続して設定温度を維持する。
【００３５】
そして、調理が終了する直前に、上ヒータ１８の接続スイッチ５１を接点ａから接点ｃ
に切り替える。すると、上ヒータ１８は二次電池３４に接続されて、上ヒータ１８には、
二次電池３４から電源が供給されるようになる。  
そして所定時間だけ設定温度以上で加熱を行なった後に調理を終了する。
【００３６】
例えば、グラタンなどを調理する場合は、料理の表面部分に僅かに焦げ目をつけるよう
に仕上げることが好ましい。従って、この第２実施例のように制御すれば、調理の終了直
前に一時的に加熱出力を高めて、食品の表面部分に焦げ目をつけることができる。  
このように加熱途中に、内周ヒータ２３ａ（定格出力１３００Ｗ）とは、異なる場所に
位置し、定格出力の異なる上ヒータ１８（定格出力２０００Ｗ）を接続スイッチで切り替
えて二次電池３４に接続することにより、内周ヒータ２３ａと同時に使用することができ
、この「グラタン」メニューの調理モードに適した加熱調理ができる。
【００３７】
したがって、このように、調理物に適した場所（上ヒータ１８）の電熱加熱手段を二次
電池３４で高出力にして、「グラタンメニュー」の焼き色をつける動作など、各調理モー
ドに応じて、商用電源または二次電池３４に接続される電熱加熱手段を決めておくことに
より、電子レンジ１の定格消費電力を超える加熱出力を利用した調理モード（調理物）に
適した加熱調理をすることができる。
【００３８】
またここで、これら調理モードに必要な二次電池３４の充電方法について図１３、図１
４、図１５を参照して説明する。  
図１３は、操作部７の詳細図である。この操作部７には、電子レンジの電源をオンする
主電源８３と、調理モードを選択する調理モード選択キー８２と、この調理モード選択キ
ー８２により選択された調理モードを実行開始するスターキー８４が設けられている。
【００３９】
この調理モードキー８２は、表示部８と対応して構成されており、複数回押圧すること
により、複数の調理モードのうちの一つが表示部８に表示され、使用者は所望の調理モー
ドが表示部に表示された時に、スタートキー８４を押すことにより、該調理モードが実行
されるように構成されている。  
この複数の調理モードは、制御部３７に記憶されているもので図１４に示すように、二
次電池３４に受電可能な最大充電量より低い充電量の二次電池３４を利用して調理実行が
可能な調理メニューを有しており、最大充電量を「５」とした場合の、実行に必要な必要
充電量が「４」の「ピザメニュー」、必要充電量が「３」の「グラタンメニュー」が設け
られており、さらに二次電池３４を利用しないで（即ち充電量が「０」でも調理可能）マ
グネトロン１１により調理する「牛乳メニュー」が記憶されている。
【００４０】
また図１５は、二次電池の充電方法を示すフローチャートであって、この充電方法は、
電源を投入した際に、充電を行う方法である。  
まず使用者が、操作部７で主電源８３をＯＮする。すると主電源スイッチ５６（主電源
接続手段に相当）がＯＮされて、充電量検知回路３９が二次電池３４の充電量をチェック
する（Ｓ２）。そして検知した充電量が、二次電池３４の最大充電量を満たしていると判
断した時（Ｓ３のＹｅｓ）は、充電リレー５５をオンせずに充電はしない。そして使用者
が所望する調理モード（いずれの調理モードも可）が選択されて、スタートキー８４が押
されたら該当する調理モードが実行される（Ｓ１３）。
【００４１】
一方、充電量をチェックした際に（Ｓ２）、二次電池３４の最大充電量を満たしていな
いと判断した場合は（Ｓ３のＮｏ）、充電リレー５５をオンし、二次電池３４に充電を開
始する。  
そして、充電が開始されたら、いずれの調理モードが選択されても、スタートキー８４
を無効にしていずれの調理モードも実行できないようにする（Ｓ５）。この時、表示部に
は「充電中」と表示する。
【００４２】
そして使用者が充電の実行中に操作部７の調理モード８２を操作して、二次電池３４を
利用しない「牛乳メニュー」を選択したときは（Ｓ７のＮｏ）、制御部３７は二次電池３
４の充電を停止する（Ｓ１１）。そして、使用者がスタートキー８４を操作したときに、
スタートキー８４の操作を有効にし（Ｓ１２）、その調理モードである「牛乳メニュー」
を実行する（Ｓ１３）。そして１分半程度マグネトロンによる加熱が行われ、調理が終了
する。  
これによって、充電に要していた商用電力を二次電池３４以外のマグネトロン１１に消
費することができ、確実な加熱ができる。
【００４３】
また使用者が充電の実行中に操作部７の調理モード８２を操作して、二次電池３４を利
用する「グラタンメニュー」を選択した際は（Ｓ７のＹｅｓ）、充電量検知回路３９が駆
動してその選択された「グラタンメニュー」に必要な充電量「３」が二次電池３４に充電
されているかチェックする（Ｓ８、Ｓ９）。  
そしてその時の充電量が、「３」以上であれば、制御部３７は、この調理モードは実行
可能と判断し、表示部に「充電量３、充電ＯＫ、使用可」と表示をする。そして二次電池
３４の充電を停止し（Ｓ１１）、実行開始するためのスタートキー８４を有効にする。  
そして、使用者がスタートキー８４を操作することで、「グラタンメニュー」が実行さ
れて、前述した「グラタンメニュー」の動作が実行される。  
したがって、調理モードに必要な充電量を、二次電池３４が有していると判断されれば
、二次電池３４の最大容量まで充電されることを待つことなく、その調理モードを実行す
ることができるので、使用者は長い間充電を待たずに所望する調理モードを実行すること
ができる。
【００４４】
また、実行に必要な充電量「３」が二次電池３４に充電されておらず充電量が「３」で
ある場合は（Ｓ８、Ｓ９）、制御部３７は充電を充電量「３」になるまで継続する。そし
てこの間は表示部に「充電量２、充電中、使用不可」と使用者に注意する旨の表示を行う
。  
この動作によれば、二次電池３４が調理モードに必要な充電量を有していなければ、充
電を開始するようにしたので充電後、所望の調理モードによる調理をすることができる。
さらに、主電源８３をオンしたときに、充電検知回路をオンしてすぐに充電が始まるよ
うにしたので、使用者が扉５を開けて、調理物を加熱室４内に収納している間でも、二次
電池３４への充電が継続され、使用者はすぐに所望の調理モードを実行することができる
。
【００４５】
さらに、充電中は、「充電中」と表示され、必要充電量を有している場合は「充電ＯＫ
、使用可」と表示し、必要充電量がない場合は、スタートキーが無効になっている場合は
、「充電中、使用不可」と表示するようにしたため、使用者は充電量が不足しているか否
かを認識することができ、すぐにその調理モードが使用可能か判断することができるため
、使用者にとって利便性が良い。  
また充電量も表示したので、使用者にとってどのくらい充電すれば使用することができ
るようになるか予測することができるので、利便性が高い。
【００４６】
（第３実施例）
続いて、第２実施例とは別の二次電池３４の別の充電方法について図１６を参照して説
明する。  
この充電方法は、調理が終了した際に、充電を行う方法である。  
調理モードが終了した（Ｓ２１）直後（または電熱加熱手段の加熱が停止した時）に、
充電量検知回路３９が二次電池３４の充電量をチェックする（Ｓ２２）。
【００４７】
そして、二次電池３４が利用されないで、充電量が満了の状態であれば（Ｓ２３のＹｅ
ｓ）は、扉開閉検知手段９０が、扉５が開閉された後閉塞したことを検知すると、使用者
が調理物を取り出したと判断する（Ｓ３５）。その後、一定時間（例えば５分）経過した
ときに（Ｓ３６）、使用者は電子レンジの使用が完了したと判断して、主電源スイッチ５
６をオフし、制御部３７への電源供給をシャットダウンする（Ｓ３７）。
【００４８】
そして二次電池３４を利用する調理モードの調理終了時に充電量が満了の状態より少な
いと判断した時（Ｓ２３のＮｏ）は、その直後に充電を開始する（Ｓ２４）。  
その後、二次電池３４の充電が満了と充電量検知手段３９が検知したら制御部３７は商
用電源３５からの充電を停止し、扉の開閉と、所定時間経過したことを条件に（Ｓ３５、
３６）に制御部３７への電源供給をシャットダウンする（Ｓ３７）。
【００４９】
一方、充電している最中に、操作部７のキーが操作されたときは、その操作されたキー
に応じて、充電の継続の有無を判断する。  
調理モードのうち、二次電池３４を使用しない調理モードである「牛乳メニュー」が選
択されれば（Ｓ２７のＮｏ）、制御部３７は、二次電池３４への電源供給を停止して、ス
タートキー８４を有効にする。そして使用者がスタートキー８４を操作するとその「牛乳
メニュー」が開始される（Ｓ３３）。
【００５０】
また調理モードのうち、二次電池３４を使用する調理モード（例えば、前記した「グラ
タンメニュー」）が選択されれば、制御部３７は、二次電池３４がその調理モードに必要
な充電量を有しているか充電量検知回路３９により検知する（Ｓ２８）。
【００５１】
そしてその必要な充電量を有していると判断された場合（Ｓ２９のＹｅｓ）、二次電池
３４への電源供給を停止して、スタートキー８４を有効にする。そして使用者がスタート
キー８４を操作するとその「グラタンメニュー」が開始される（Ｓ３１、Ｓ３２、Ｓ３３
）。  
またその必要な充電量を有していないと判断された場合、制御部３７は二次電池３４へ
の充電を継続し（Ｓ３０）、その必要量に達するまで充電し続ける。この際表示部８には
「充電中、使用不可」である旨が表示される。
【００５２】
そして充電が必要量に達した時に、制御部３７はスタートキー３８を有効にし、二次電
池３４を使用する調理モードが使用できるようにする。その際、表示部には「充電完了」
と表示される。  
そして使用者がスタートキー３８を押すことにより、二次電池３４を使用する調理モー
ドが開始され二次電池３４が使用される。  
そして調理終了後、再び最大充電量を有しているかチェックする。
【００５３】
このように構成することにより、加熱終了時に充電量検知回路３９を動作させて、二次
電池３４の充電量を検知することで、その後連続して、二次電池３４を利用する調理モー
ドの使用有無を判断することができる。  
そして、制御部３７への電力の供給接続をオンオフする主電源スイッチ５６を設け、二
次電池３４の充電が最大容量に達するまで、主電源スイッチ５６をオフしないようにした
ため、次に主電源８３をオンしたときに、常に二次電池３４の充電量が最大の状態になる
ため、どのような二次電池３４を使用する調理モードも使用可能であるため、使用者にと
って主電源オン時には利便性が高く、さらに主電源オフすることで省エネルギーを達成す
ることができる。
【００５４】
また充電が満了して、一定時間後に主電源スイッチ５６をオフするようにしたため、使
用者が再度電子レンジを利用する場合は、すぐに使用できる。そして一定時間後は、制御
部３７に電力の供給がオフされるので省エネルギー性に優れる。
【００５５】
さらに、扉開閉検知手段８０を設け、扉５を開放して閉塞されたことを検知して、その
後一定時間経過したときに、使用者が電子レンジの調理を終了したと判断するようにした
ため使用者が再度電子レンジを利用する場合は、すぐに使用できる。そして一定時間後は
、制御部３７に電力の供給がオフされるので省エネルギー性に優れる。
【００５６】
なお、制御部３７への電力の供給をオフするまでに、最大充電量を充電すると説明した
が、最大である必要はなく、所定の充電量以上の充電がされれば制御部３７への電力の供
給をオフしてもよい。この所定の充電量は、制御部３７が記憶する調理モードのうち、必
要充電量が一番多い調理モードの必要充電量を超えるものであればよい。  
これによれば、制御部３７への電力の供給をオフ後に、電子レンジをオンしたときに、
すべての調理モードを即時実行することができる。  
本発明は上記し且つ図面に記載した実施例にのみ限定されるものではなく、変形又は拡
張が可能である。
【図面の簡単な説明】
【００５７】
【図１】本発明の第１実施例であり、電子レンジの制御系の構成を概略的に示すブロック図
【図２】電子レンジの縦断側面図
【図３】扉を開放した状態の正面図
【図４】扉を閉鎖した状態の正面図
【図５】二次電池の充電特性を示す図
【図６】二次電池の放電レートを示す図
【図７】（ａ）は二次電池の充電状態を表示部に表示させた状態、（ｂ）は二次電池の残存容量が次第に減少する場合に対応する表示状態の変化を示す図
【図８】接続スイッチの詳細図。
【図９】インバータの詳細図。
【図１０】インバータの電流動作図。
【図１１】（ａ）庫内温度変化を示すタイミングチャート、（ｂ）は従来構成に対応する同タイミングチャート
【図１２】本発明の第２実施例であり、図１１（ａ）相当図
【図１３】操作部の拡大図
【図１４】各調理モードにおける必要充電量の図
【図１５】充電方法のフローチャート
【図１６】第３の実施形態の図１５相当図
【符号の説明】
【００５８】
図面中、１は電子レンジ、４は加熱室、５は扉、７は操作部、８は表示部、１１はマグ
ネトロン、１７は下ヒータ、１８は上ヒータ、２３は熱風用ヒータ、２３ａは内周ヒータ
、２３ｂは外周ヒータ、３３は赤外線センサ（温度検知手段）、３４は二次電池、３５は
商用電源、３６は充電回路、３７は制御部、３８は庫内温度センサ（温度検知手段）、３
９は充電量検知回路、５１〜５４は接続スイッチ、５６は主電源スイッチ、８２は調理モ
ード選択キー、８３は主電源、８４はスターキーを示す。
【図１】
2008256251.tif 000003
【図２】
2008256251.tif 000004
【図３】
2008256251.tif 000005
【図４】
2008256251.tif 000006
【図７】
2008256251.tif 000007
【図８】
2008256251.tif 000008
【図９】
2008256251.tif 000009
【図１０】
2008256251.tif 000010
【図１１】
2008256251.tif 000011
【図１２】
2008256251.tif 000012
【図１３】
2008256251.tif 000013
【図１４】
2008256251.tif 000014
【図１５】
2008256251.tif 000015
【図１６】
2008256251.tif 000016
【図５】
2008256251.tif 000017
【図６】
2008256251.tif 000018